(57)【要約】【課題】  稼動状態を切り換え可能な装置を登録する操作を容易にすること。【解決手段】  複数の周辺装置を遠隔制御可能な遠隔制御装置は、複数の周辺装置それぞれの稼動状態を検出する稼動状態検出部５９と、アカウントに基づく操作を受け付ける操作受付部５３と、動作モードを切り換えるモード切換部５５と、登録モードに切り換えられている間に、複数の周辺装置のうち稼動状態が変化する装置の装置識別情報と、登録モードに切り換える操作の操作主体のアカウントと、を関連付ける関連付部５７と、通常モードに切り換えられている間は、複数の周辺装置のうち対象装置の稼動状態を切り換える操作が受け付けられる場合、稼動状態を切り換える操作の操作主体が対象装置に関連付けられたアカウントであることを条件に、対象装置の稼動状態を切り換える稼動状態切換部６１と、を備える。【選択図】        図３
2013098668.tif 000002
【特許請求の範囲】
【請求項１】
複数の周辺装置を遠隔制御可能な遠隔制御装置であって、
前記複数の周辺装置それぞれの状態であって、稼動しているか否かを示す稼動状態を検出する稼動状態検出手段と、
操作主体に割り当てられたアカウントを認証する認証手段と、
前記認証されたアカウントがログイン状態である間に、前記アカウントに基づく操作を受け付ける操作受付手段と、
前記操作受付手段により受け付けられる操作に基づいて、通常モードと登録モードとのいずれかに動作モードを切り換えるモード切換手段と、
前記モード切換手段により登録モードに切り換えられている間に、前記複数の周辺装置のうち前記稼動状態検出手段によって検出される稼動状態が変化する装置を識別するための装置識別情報と、前記登録モードに切り換える操作の操作主体のアカウントと、を関連付ける関連付手段と、
前記モード切換手段により通常モードに切り換えられている間は、前記複数の周辺装置のうち対象装置の稼動状態を切り換える操作が受け付けられる場合、前記稼動状態を切り換える操作の操作主体が前記対象装置に関連付けられたアカウントであることを条件に、前記対象装置の稼動状態を切り換える稼動状態切換手段と、を備えた遠隔制御装置。
【請求項２】
起動時に前記複数の周辺装置の稼動状態を稼動しない状態に切り換える初期化手段を、さらに備えた、請求項１に記載の遠隔制御装置。
【請求項３】
前記登録モードに切り換える操作の操作主体のアカウントがログイン状態でなくなることに応じて、前記関連付手段による関連付けを解消する第１消去手段を、さらに備えた、請求項１または２に記載の遠隔制御装置。
【請求項４】
前記登録モードに切り換える操作の操作主体のアカウントにより指定された期間が経過すると、前記関連付手段による関連付けを解消する第２消去手段を、さらに備えた、請求項１〜３のいずれかに記載の遠隔制御装置。
【請求項５】
前記モード切換手段により通常モードに切り換えられている間に、前記複数の周辺装置のうち前記稼動状態検出手段によって検出される稼動状態が、稼動している状態から稼動しない状態に変化する装置に対して、前記関連付手段による関連付けを解消する第３消去手段を、さらに備えた請求項１〜４のいずれかに記載の遠隔制御装置。
【請求項６】
複数の周辺装置を遠隔制御可能な遠隔制御装置で実行される遠隔制御方法であって、
前記複数の周辺装置それぞれの状態であって、稼動しているか否かを示す稼動状態を検出するステップと、
操作主体に割り当てられたアカウントを認証するステップと、
前記認証されたアカウントがログイン状態である間に、前記アカウントに基づく操作を受け付ける操作受付ステップと、
前記操作受付ステップにおいて受け付けられる操作に基づいて、通常モードと登録モードとのいずれかに動作モードを切り換えるモード切換ステップと、
前記モード切換ステップにおいて登録モードに切り換えられている間に、前記複数の周辺装置のうち前記稼動状態検出手段によって検出される稼動状態が変化する装置を識別するための装置識別情報と、前記登録モードに切り換える操作の操作主体のアカウントと、を関連付ける関連付ステップと、
前記モード切換ステップにおいて通常モードに切り換えられている間は、前記複数の周辺装置のうち対象装置の稼動状態を切り換える操作が受け付けられる場合、前記稼動状態を切り換える操作の操作主体が前記対象装置に関連付けられたアカウントであることを条件に、前記対象装置の稼動状態を切り換える稼動状態切換ステップと、を含む遠隔制御方法。
【請求項７】
複数の周辺装置を遠隔制御可能な遠隔制御装置を制御するコンピューターで実行される遠隔制御プログラムであって、
前記複数の周辺装置それぞれの状態であって、稼動しているか否かを示す稼動状態を検出するステップと、
操作主体に割り当てられたアカウントを認証するステップと、
前記認証されたアカウントがログイン状態である間に、前記アカウントに基づく操作を受け付ける操作受付ステップと、
前記操作受付ステップにおいて受け付けられる操作に基づいて、通常モードと登録モードとのいずれかに動作モードを切り換えるモード切換ステップと、
前記モード切換ステップにおいて登録モードに切り換えられている間に、前記複数の周辺装置のうち前記稼動状態検出手段によって検出される稼動状態が変化する装置を識別するための装置識別情報と、前記登録モードに切り換える操作の操作主体のアカウントと、を関連付ける関連付ステップと、
前記モード切換ステップにおいて通常モードに切り換えられている間は、前記複数の周辺装置のうち対象装置の稼動状態を切り換える操作が受け付けられる場合、前記稼動状態を切り換える操作の操作主体が前記対象装置に関連付けられたアカウントであることを条件に、前記対象装置の稼動状態を切り換える稼動状態切換ステップと、を前記コンピューターに実行させる遠隔制御プログラム。
【発明の詳細な説明】
【技術分野】
【０００１】
この発明は、遠隔制御装置、遠隔制御方法および遠隔制御プログラムに関し、特に、複数の周辺装置を遠隔制御可能な遠隔制御装置、その遠隔制御装置で実行される遠隔制御方法および遠隔制御プログラムに関する。
【背景技術】
【０００２】
近年、地理的に離れた２以上の会議室するためのテレビ会議システムが普及している。このテレビ会議システムでは、遠隔の会議室に設置されたプロジェクタやプリンターなどの電子機器の電源制御を可能としたものがある。例えば、特開２００９−７１５４６号公報には、一方の会議室に設置された電子機器を、他方の会議室の参加者が、一方の会議室の参加者がログイン状態であることを条件に、電源制御可能とした情報処理装置が記載されている。
【０００３】
しかしながら、他方の会議室の参加者が一方の会議室に設置された複数の電子機器のすべてを遠隔制御可能とするのではなく、遠隔制御可能な電子機器を、一部に制限することが望まれる場合がある。この場合には、遠隔制御可能な電子機器を予め登録するために、煩雑な作業が必要であった。
【特許文献１】特開２００９−７１５４６号公報
【発明の概要】
【発明が解決しようとする課題】
【０００４】
この発明は上述した問題点を解決するためになされたもので、この発明の目的の一つは、複数の周辺装置のうちから稼動状態を切り換え可能な装置を登録する操作を容易にした遠隔制御装置を提供することである。
【０００５】
この発明の他の目的は、複数の周辺装置のうちから稼動状態を切り換え可能な装置を登録する操作を容易にした遠隔制御方法を提供することである。
【０００６】
この発明のさらに他の目的は、複数の周辺装置のうちから稼動状態を切り換え可能な装置を登録する操作を容易にした遠隔制御プログラムを提供することである。
【課題を解決するための手段】
【０００７】
上述した目的を達成するためにこの発明のある局面によれば、遠隔制御装置は、複数の周辺装置を遠隔制御可能な遠隔制御装置であって、複数の周辺装置それぞれの状態であって、稼動しているか否かを示す稼動状態を検出する稼動状態検出手段と、操作主体に割り当てられたアカウントを認証する認証手段と、認証されたアカウントがログイン状態である間に、アカウントに基づく操作を受け付ける操作受付手段と、操作受付手段により受け付けられる操作に基づいて、通常モードと登録モードとのいずれかに動作モードを切り換えるモード切換手段と、モード切換手段により登録モードに切り換えられている間に、複数の周辺装置のうち稼動状態検出手段によって検出される稼動状態が変化する装置を識別するための装置識別情報と、登録モードに切り換える操作の操作主体のアカウントと、を関連付ける関連付手段と、モード切換手段により通常モードに切り換えられている間は、複数の周辺装置のうち対象装置の稼動状態を切り換える操作が受け付けられる場合、稼動状態を切り換える操作の操作主体が対象装置に関連付けられたアカウントであることを条件に、対象装置の稼動状態を切り換える稼動状態切換手段と、を備える。
【０００８】
この局面に従えば、複数の周辺装置それぞれの稼動状態を検出し、登録モードに切り換えられている間に稼動状態が変化する周辺装置の装置識別情報と、登録モードに切り換える操作の操作主体のアカウントと、を関連付け、通常モードに切り換えられている間に、複数の周辺装置のうち対象装置の稼動状態を切り換える操作が受け付けられる場合、操作主体のアカウントが、対象装置に関連付けられたアカウントであることを条件に、稼動状態を切り換える。このため、複数の周辺装置のうちから稼動状態を切り換え可能な装置を登録する操作を容易にした遠隔制御装置を提供することができる。
【０００９】
好ましくは、起動時に複数の周辺装置の稼動状態を稼動しない状態に切り換える初期化手段を、さらに備える。
【００１０】
この局面によれば、稼動状態を切り換え可能な装置として登録した装置を直ちに使用することができる。
【００１１】
好ましくは、登録モードに切り換える操作の操作主体のアカウントがログイン状態でなくなることに応じて、関連付手段による関連付けを解消する第１消去手段を、さらに備える。
【００１２】
この局面に従えば、複数の周辺装置を、稼動状態の切り換えが可能な状態とする期間を、登録モードに切り換える操作の操作主体のアカウントがログインしてからログイン状態でなくなるまでの間に、制限することができる。
【００１３】
好ましくは、登録モードに切り換える操作の操作主体のアカウントにより指定された期間が経過すると、関連付手段による関連付けを解消する第２消去手段を、さらに備える。
【００１４】
この局面に従えば、複数の周辺装置を、稼動状態の切り換えが可能な状態とする期間を、登録モードに切り換える操作の操作主体のアカウントが指定した期間に、制限することができる。
【００１５】
好ましくは、モード切換手段により通常モードに切り換えられている間に、複数の周辺装置のうち稼動状態検出手段によって検出される稼動状態が、稼動している状態から稼動しない状態に変化する装置に対して、関連付手段による関連付けを解消する第３消去手段を、さらに備える。
【００１６】
この局面に従えば、複数の周辺装置の稼動状態の切り換え回数を１回に、制限することができる。
【００１７】
この発明の他の局面によれば、遠隔制御方法は、複数の周辺装置を遠隔制御可能な遠隔制御装置で実行される遠隔制御方法であって、複数の周辺装置それぞれの状態であって、稼動しているか否かを示す稼動状態を検出するステップと、操作主体に割り当てられたアカウントを認証するステップと、認証されたアカウントがログイン状態である間に、アカウントに基づく操作を受け付ける操作受付ステップと、操作受付ステップにおいて受け付けられる操作に基づいて、通常モードと登録モードとのいずれかに動作モードを切り換えるモード切換ステップと、モード切換ステップにおいて登録モードに切り換えられている間に、複数の周辺装置のうち稼動状態検出手段によって検出される稼動状態が変化する装置を識別するための装置識別情報と、登録モードに切り換える操作の操作主体のアカウントと、を関連付ける関連付ステップと、モード切換ステップにおいて通常モードに切り換えられている間は、複数の周辺装置のうち対象装置の稼動状態を切り換える操作が受け付けられる場合、稼動状態を切り換える操作の操作主体が対象装置に関連付けられたアカウントであることを条件に、対象装置の稼動状態を切り換える稼動状態切換ステップと、を含む。
【００１８】
この局面に従えば、複数の周辺装置のうちから稼動状態を切り換え可能な装置を登録する操作を容易にした遠隔制御方法を提供することができる。
【００１９】
この発明のさらに他の局面によれば、遠隔制御プログラムは、複数の周辺装置を遠隔制御可能な遠隔制御装置を制御するコンピューターで実行される遠隔制御プログラムであって、複数の周辺装置それぞれの状態であって、稼動しているか否かを示す稼動状態を検出するステップと、操作主体に割り当てられたアカウントを認証するステップと、認証されたアカウントがログイン状態である間に、アカウントに基づく操作を受け付ける操作受付ステップと、操作受付ステップにおいて受け付けられる操作に基づいて、通常モードと登録モードとのいずれかに動作モードを切り換えるモード切換ステップと、モード切換ステップにおいて登録モードに切り換えられている間に、複数の周辺装置のうち稼動状態検出手段によって検出される稼動状態が変化する装置を識別するための装置識別情報と、登録モードに切り換える操作の操作主体のアカウントと、を関連付ける関連付ステップと、モード切換ステップにおいて通常モードに切り換えられている間は、複数の周辺装置のうち対象装置の稼動状態を切り換える操作が受け付けられる場合、稼動状態を切り換える操作の操作主体が対象装置に関連付けられたアカウントであることを条件に、対象装置の稼動状態を切り換える稼動状態切換ステップと、をコンピューターに実行させる。
【００２０】
この局面に従えば、複数の周辺装置のうちから稼動状態を切り換え可能な装置を登録する操作を容易にした遠隔制御プログラムを提供することができる。
【図面の簡単な説明】
【００２１】
【図１】本発明の実施の形態におけるテレビ会議システムの全体概要を示す図である。
【図２】ＭＦＰのハードウエア構成の概要を示すブロック図である。
【図３】ＭＦＰが備えるＣＰＵが有する機能の一例をＥＥＰＲＯＭ１１５に記憶されるデータとともに示す図である。
【図４】登録モードで表示される画面の遷移の一例を示す図である。
【図５】登録テーブルの一例を示す図である。
【図６】通常モードで表示される画面の遷移の一例を示す図である。
【図７】遠隔制御処理の流れの一例を示す第１のフローチャートである。
【図８】遠隔制御処理の流れの一例を示す第２のフローチャートである。
【発明を実施するための形態】
【００２２】
以下、本発明の実施の形態について図面を参照して説明する。以下の説明では同一の部品には同一の符号を付してある。それらの名称および機能も同じである。したがってそれらについての詳細な説明は繰り返さない。
【００２３】
図１は、本発明の実施の形態におけるテレビ会議システムの全体概要を示す図である。図１を参照して、テレビ会議システム１は、地理的に離れた第１会議室１１と、第２会議室３１と、を含む。なお、会議室の数を限定するものではなく、１以上あればよい。第１会議室１１は、遠隔制御装置として機能する複合機（以下「ＭＦＰ」という）１００と、パーソナルコンピューター（以下「ＰＣ」という）１３と、周辺装置群１５と、ゲートウェイ（以下「Ｇ／Ｗ」という）１７と、が配置される。周辺装置群１５は、第１プロジェクタ２１、第１カメラ２２、第１スキャナ２３、第２プロジェクタ２４、第２スキャナ２５、第２カメラ２６、およびプリンター２７を含む。
【００２４】
ＭＦＰ１００、ＰＣ１３、Ｇ／Ｗ１７、周辺装置群１５それぞれは、ローカルエリアネットワーク（以下「ＬＡＮ」という）１９に接続され、互いに通信可能である。ＬＡＮ１９は、接続形態は有線または無線を問わない。また、Ｇ／Ｗ１７は、ネットワーク３に接続される。このため、ＭＦＰ１００およびＰＣ３３は、Ｇ／Ｗ１７を介してネットワーク３に接続される。
【００２５】
ＭＦＰ（Ｍｕｌｔｉ  Ｆｕｎｃｔｉｏｎ  Ｐｅｒｉｐｈｅｒａｌ）１００は、スキャナ機能、ファクシミリ送受信機能、画像形成機能を備える。ＭＦＰ１００は、遠隔制御装置として機能し、周辺装置群１５を制御する。なお、本実施の形態においては、ＭＦＰ１００と、周辺装置群１５との間の通信を、ＬＡＮ１９を経由した通信とする場合を例に説明するが、ＭＦＰ１００と周辺装置群１５のいずれかと、を直接接続する形態の通信であってもよい。例えば、近距離無線通信として知られるＢｌｕｅｔｏｏｔｈ（登録商標）や、赤外線通信を用いるようにしてもよい。また、図中の点線は、ＭＦＰ１００が周辺装置群１５を制御することを示し、実際には存在しない。
【００２６】
第２会議室３１は、ＰＣ３３と、カメラ３５と、が配置される。ＰＣ３３はカメラ３５とシリアルインターフェース等で接続され、カメラ３５を制御する。また、ＰＣ３３は、ネットワーク３に接続される。
【００２７】
ＰＣ１３，３３のハードウエア構成および機能は周知なのでここでは説明を繰り返さないが、画像を表示するディスプレイ、音声を出力するスピーカーを備えている。
【００２８】
ネットワーク３は、インターネットである。ネットワーク３の接続形態は有線または無線を問わない。また、ネットワーク３は、公衆交換電話網（Ｐｕｂｌｉｃ  Ｓｗｉｔｃｈｅｄ  Ｔｅｌｅｐｈｏｎｅ  Ｎｅｔｗｏｒｋｓ）を用いたネットワーク等であってもよい。
【００２９】
第１会議室１１に設置されたＭＦＰ１００およびＰＣ１３は、Ｇ／Ｗ１７を介してネットワーク３に接続され、第２会議室に設置されたＰＣ３３はネットワーク３に接続される。このため、ＭＦＰ１００、ＰＣ１３およびＰＣ３３は、ネットワーク３を介して互いに通信可能である。
【００３０】
本実施の形態におけるテレビ会議システム１においては、第１会議室１１と、第２会議室３１との間で、テレビ会議を実現する。具体的には、ＰＣ３３は、カメラ３５を制御して第２会議室の参加者を撮影させ、ＰＣ３３に内蔵のマイクロホンで第２会議室の音声を集音し、撮影された画像と音声をＭＦＰ１００に送信する。ＭＦＰ１００は、ＰＣ３３から受信される画像を、第１プロジェクタ２１または／および第２プロジェクタに表示させ、ＰＣ３３から受信される音声をＭＦＰ１００に内蔵のスピーカーから出力する。なお、ＭＦＰ１００は、ＰＣ３３から受信される画像および音声を、ＰＣ１３に送信するようにし、ＰＣ１３において、ＭＦＰ１００から受信される画像をＰＣ１３が備えるディスプレイに表示し、ＭＦＰ１００から受信される音声を、ＰＣ１３に内蔵のスピーカーから出力するようにしてもよい。
【００３１】
逆に、ＭＦＰ１００は、第１カメラ２２または／および第２カメラ２６を制御して第１会議室の参加者を撮影させ、ＭＦＰ１００に内蔵のマイクロホンで第１会議室の音声を集音し、撮影された画像と音声をＰＣ３３に送信する。ＰＣ３３は、ＭＦＰ１００から受信される画像を、ＰＣ３３が備えるディスプレイに表示し、ＭＦＰ１００から受信される音声をＰＣ３３に内蔵のスピーカーから出力する。
【００３２】
図２は、ＭＦＰのハードウエア構成の概要を示すブロック図である。図２を参照して、ＭＦＰ１００は、メイン回路１１０と、原稿を読み取るための原稿読取部１３０と、原稿を原稿読取部１３０に搬送するための自動原稿搬送装置１２０と、原稿読取部１３０が原稿を読み取って出力する画像データに基づいて用紙等に画像を形成するための画像形成部１４０と、画像形成部１４０に用紙を供給するための給紙部１５０と、ユーザーインターフェースとしての操作パネル１６０と、マイクロホン１７１と、スピーカー１７３と、を含む。
【００３３】
メイン回路１１０は、ＣＰＵ１１１と、通信インターフェース（Ｉ／Ｆ）部１１２と、ＲＯＭ（Ｒｅａｄ  Ｏｎｌｙ  Ｍｅｍｏｒｙ）１１３と、ＲＡＭ（Ｒａｎｄｏｍ  Ａｃｃｅｓｓ  Ｍｅｍｏｒｙ）１１４と、ＥＥＰＲＯＭ（Ｅｌｅｃｔｒｉｃａｌｌｙ  Ｅｒａｓａｂｌe  Ｐｒｏｇｒａｍｍａｂｌｅ  ＲＯＭ）１１５と、大容量記憶装置としてのハードディスクドライブ（ＨＤＤ）１１６と、ファクシミリ部１１７と、ＣＤ−ＲＯＭ（Ｃｏｍｐａｃｔ  Ｄｉｓｃ−Ｒｅａｄ  Ｏｎｌｙ  Ｍｅｍｏｒｙ）１１９Ａが装着される外部記憶装置１１９と、を含む。ＣＰＵ１１１は、自動原稿搬送装置１２０、原稿読取部１３０、画像形成部１４０、給紙部１５０および操作パネル１６０と接続され、ＭＦＰ１００の全体を制御する。
【００３４】
ＲＯＭ１１３は、ＣＰＵ１１１が実行するプログラム、またはそのプログラムを実行するために必要なデータを記憶する。ＲＡＭ１１４は、ＣＰＵ１１１がプログラムを実行する際の作業領域として用いられる。また、ＲＡＭ１１４は、原稿読取部１３０から連続的に送られてくる読取データ（画像データ）を一時的に記憶する。
【００３５】
操作パネル１６０は、ＭＦＰ１００の上面に設けられ、表示部１６１と操作部１６３とを含む。表示部１６１は、液晶表示装置（ＬＣＤ）、有機ＥＬＤ（Ｅｌｅｃｔｒｏ−Ｌｕｍｉｎｅｓｃｅｎｃｅ  Ｄｉｓｐｌａｙ）等の表示装置であり、ユーザーに対する指示メニューや取得した画像データに関する情報等を表示する。操作部１６３は、複数のキーを備え、キーに対応するユーザーの操作による各種の指示、文字、数字などのデータの入力を受け付ける。操作部１６３は、表示部１６１の表示面の位置を検出するタッチパネル１６５をさらに含む。タッチパネル１６５は、表示部１６１の上面または下面に設けられ、ユーザーにより指示された位置の座標をＣＰＵ１１１に出力する。
【００３６】
通信Ｉ／Ｆ部１１２は、ＭＦＰ１００をネットワーク３に接続するためのインターフェースである。ＣＰＵ１１１は、通信Ｉ／Ｆ部１１２を介してネットワーク３に接続された周辺装置群１５およびＰＣ１３との間で通信し、データを送受信する。また、通信Ｉ／Ｆ部１１２は、Ｇ／Ｗ１７を介してネットワーク３に接続されたＰＣ３３と通信が可能である。
【００３７】
ファクシミリ部１１７は、公衆交換電話網（ＰＳＴＮ）に接続され、ファクシミリデータを送受信する。ファクシミリ部１１７は、原稿読取部１３０により読み取られた画像データまたはＨＤＤ１１６に記憶されたデータをファクシミリデータに変換して、ＰＳＴＮに接続されたファクシミリ装置に送信する。また、ファクシミリ部１１７は、受信されたファクシミリデータをＨＤＤ１１６に記憶するか、画像形成部１４０にファクシミリデータの画像を用紙に形成させる。
【００３８】
外部記憶装置１１９は、ＣＤ−ＲＯＭ１１９Ａが装着される。ＣＰＵ１１１は、外部記憶装置１１９を介してＣＤ−ＲＯＭ１１９Ａにアクセス可能である。ＣＰＵ１１１は、外部記憶装置１１９に装着されたＣＤ−ＲＯＭ１１９Ａに記録されたプログラムをＲＡＭ１１４にロードして実行する。なお、ＣＰＵ１１１が実行するプログラムは、ＣＤ−ＲＯＭ１１９Ａに記録されたプログラムに限られず、ＨＤＤ１１６に記憶されたプログラムをＲＡＭ１１４にロードして実行するようにしてもよい。この場合、ネットワークに接続された他のコンピューターが、ＭＦＰ１００のＨＤＤ１１６に記憶されたプログラムを書き換える、または、新たなプログラムを追加して書き込むようにしてもよい。さらに、ＭＦＰ１００が、ネットワークに接続された他のコンピューターからプログラムをダウンロードして、そのプログラムをＨＤＤ１１６に記憶するようにしてもよい。ここでいうプログラムは、ＣＰＵ１１１が直接実行可能なプログラムだけでなく、ソースプログラム、圧縮処理されたプログラム、暗号化されたプログラム等を含む。
【００３９】
マイクロホン１７１は、第１会議室の音声を集音し、集音した音声をデジタル信号に変換し、ＣＰＵ１１１に出力する。スピーカー１７３は、ＣＰＵ１１１により制御され、ＣＰＵ１１１から入力される音声を出力する。
【００４０】
図３は、ＭＦＰが備えるＣＰＵが有する機能の一例をＥＥＰＲＯＭ１１５に記憶されるデータとともに示す図である。図３を参照して、ＣＰＵ１１１は、操作主体であるユーザーに割り当てられたアカウントを認証する認証部５１と、操作を受け付ける操作受付部５３と、モードを切り換えるモード切換部５５と、周辺装置群１５の稼動状態を検出する稼動状態検出部５９と、関連付部５７と、周辺装置群１５の稼動状態を切り換える稼動状態切換部６１と、第１〜第３消去部６３，６５，６７と、を含む。
【００４１】
操作受付部５３は、操作パネル１６０に接続され、ユーザーにより操作部１６３に入力された操作を受け付ける。また、操作受付部５３は、通信Ｉ／Ｆ部１１２に接続され、ＰＣ１３またはＰＣ３３を操作するユーザーがＭＦＰ１００を遠隔操作する場合、通信Ｉ／Ｆ部１１２がＰＣ１３またはＰＣ３３から受信する遠隔操作を受け付ける。操作受付部５３は、認証部５１による認証が成功していない場合には、受け付けられた操作を認証部５１に出力する。操作受付部５３は、操作部１６３から受け付けた操作に基づいて、認証部５１により操作部１６３を使用するユーザーに割り当てられたアカウントが認証された後の直接ログイン期間において、認証部５１から操作部１６３を使用するユーザーのアカウントとＭＦＰ１００の装置識別情報との組みが入力される。操作受付部５３は、操作部１６３から操作を受け付ける場合、認証部５１からアカウントとＭＦＰ１００の装置識別情報との組みが入力されている場合は、受け付けられた操作と、操作部１６３を使用するユーザーのアカウントとの組を稼動状態切換部６１、モード切換部５５および第２消去部６５に出力する。
【００４２】
操作受付部５３は、ＰＣ１３から受信された操作に基づいて、認証部５１によりＰＣ１３を使用するユーザーに割り当てられたアカウントが認証された後の遠隔ログイン期間において、認証部５１からＰＣ１３を使用するユーザーのアカウントとＰＣ１３の装置識別情報との組みが入力される。操作受付部５３は、通信Ｉ／Ｆ部１１２がＰＣ１３から操作を受信する場合、認証部５１からアカウントとＰＣ１３の装置識別情報との組みが入力されている場合は、ＰＣ１３から受信された操作と、ＰＣ１３を使用するユーザーのアカウントとの組を稼動状態切換部６１、モード切換部５５および第２消去部６５に出力する。
【００４３】
操作受付部５３は、ＰＣ３３から受信された操作に基づいて、認証部５１によりＰＣ３３を使用するユーザーが認証された後の遠隔ログイン期間において、認証部５１からＰＣ３３を使用するユーザーのアカウントとＰＣ３３の装置識別情報との組みが入力される。通信Ｉ／Ｆ部１１２がＰＣ３３から操作を受信する場合、認証部５１からアカウントとＰＣ３３の装置識別情報との組みが入力されている場合は、ＰＣ３３から受信された操作と、ＰＣ３３を使用するユーザーのアカウントとの組を稼動状態切換部６１、モード切換部５５および第２消去部６５に出力する。
【００４４】
認証部５１は、ＭＦＰ１００を操作するユーザーに割り当てられたアカウントを認証する。ＭＦＰ１００は、その使用が許可されたユーザーに割り当てられたアカウントとパスワードとを含むユーザーレコードを予め記憶している。具体的には、ＭＦＰ１００は、ＭＦＰ１００の使用が許可されたユーザーを登録する際に、そのユーザーに割り当てられたアカウントとパスワードとを含むユーザーレコードを、ＨＤＤ１１６に記憶されたユーザーデータに追加する。
【００４５】
認証部５１は、ユーザーが操作パネル１６０を使用する場合、表示部１６１にログイン画面を表示する。ログイン画面は、アカウントとパスワードとを入力する領域を含む。ユーザーが、ログイン画面に従って操作部１６３にアカウントとパスワードとを入力すれば、操作受付部５３からアカウントとパスワードとの組を受け付ける。認証部５１は、操作受付部５３からアカウントとパスワードとの組を受け付けると、受け付けられたアカウントとパスワードとの組と予めＨＤＤ１１６に記憶されているユーザーデータに含まれるユーザーレコードと比較する。認証部５１は、アカウントとパスワードとの組と一致するユーザーレコードがユーザーデータに含まれていれば認証成功と判断し、そうでなければ認証失敗と判断する。
【００４６】
認証部５１は、認証成功と判断する場合、直接ログイン期間を開始し、直接ログイン期間に操作部１６３に入力される操作を、操作部１６３を使用するユーザーにより入力された操作として扱う。直接ログイン期間は、操作部１６３を操作するユーザーがログインした状態の期間であり、操作部１６３にログアウト指示が入力されることにより、また、操作部１６３に操作が入力されることなく所定の時間が経過することにより、終了する。認証部５１は、認証成功と判断してから開始する直接ログイン期間中、操作パネル１６０を操作するユーザーのアカウントとＭＦＰ１００の装置識別情報の組を、操作受付部５３に出力する。
【００４７】
認証部５１は、ユーザーがＰＣ１３，３３のいずれかを用いてＭＦＰ１００を制御する場合、通信Ｉ／Ｆ部１１２を介してログイン画面を、ＰＣ１３，３３のうちログイン要求を送信してきたＰＣに送信する。ＰＣ１３，３３の動作は同じなので、ここでは、説明のために、ＰＣ１３からログイン要求が送信される場合を例に説明する。ＰＣ１３は、ログイン画面を受信すると、ログイン画面をディスプレイに表示し、ユーザーが、ログイン画面に従って入力するアカウントとパスワードとの組を受け付け、それらをＭＦＰ１００に返信する。操作受付部５３は、通信Ｉ／Ｆ部１１２がＰＣ１３からアカウントとパスワードとの組を受信すると、受信されたアカウントとパスワードとの組を認証部５１に出力する。認証部５１は、ＰＣ１３から送信されたアカウントとパスワードとの組が操作受付部５３から入力されると、アカウントとパスワードとの組と予めＨＤＤ１１６に記憶されているユーザーデータに含まれるユーザーレコードと比較する。認証部５１は、アカウントとパスワードとの組と一致するユーザーレコードがユーザーデータに含まれていれば認証成功と判断し、そうでなければ認証失敗と判断する。
【００４８】
認証部５１は、認証成功と判断する場合、通信Ｉ／Ｆ部１１２を介してＰＣ１３に認証成功信号を送信するとともに遠隔ログイン期間を開始する。認証部５１は、遠隔ログイン期間に通信Ｉ／Ｆ部１１２がＰＣ１３から受信する操作を、認証したユーザーにより入力された操作として扱う。遠隔ログイン期間は、ＰＣ１３を操作するユーザーのログインが許可された状態の期間であり、通信Ｉ／Ｆ部１１２がＰＣ１３からログアウト指示を受信することにより、また、通信Ｉ／Ｆ部１１２がＰＣ１３からデータを受信することなく所定の時間が経過することにより、終了する。認証部５１は、認証成功と判断してから開始する遠隔ログイン期間中、ＰＣ１３を操作するユーザーのアカウントとＰＣ１３の装置識別情報との組を操作受付部５３に出力する。
【００４９】
なお、ここでは、アカウントとパスワードとの組を用いて認証する場合を例に示すが、ユーザーの指紋、静脈パターン、虹彩等の生体情報を用いて認証するようにしてもよい。この場合、ＭＦＰ１００、ＰＣ１３，３３に、生体情報を読み取るための読取装置を接続し、ＭＦＰ１００に記憶されるユーザーデータは、アカウントと生体情報とを含む。そして、ＭＦＰ１００、ＰＣ１３，３３それぞれは、読取装置により読み取られた生体情報が入力される。ＭＦＰ１００は、読取装置から入力される生体情報、または、ＰＣ１３，３３のいずれかの読取装置で読み取られ送信される生体情報に基づいて認証する。また、ユーザーに割り当てられたカード番号等の認証情報を記憶する磁気カードまたはＩＣカードを用いて認証してもよい。この場合、ＭＦＰ１００、ＰＣ１３，３３に、認証情報を読み取るための読取装置を接続し、ＭＦＰ１００に記憶されるユーザーデータは、アカウントと認証情報とを含む。そして、ＭＦＰ１００、ＰＣ１３，３３それぞれは、読取装置により読み取られた認証情報が入力される。ＭＦＰ１００は、読取装置から入力される認証情報、または、ＰＣ１３，３３のいずれかの読取装置で読み取られ送信される認証情報に基づいて認証する。
【００５０】
モード切換部５５は、操作受付部５３から操作とアカウントとの組が入力される。操作受付部５３から入力される操作が、モード切換指示の場合、動作モードを通常モードと登録モードとのいずれかに切り換える。モード切換指示が登録モードへの切換を示す場合、動作モードを登録モードへ切り換え、モード切換指示が通常モードへの切換を示す場合、動作モードを通常モードへ切り換える。通常モードは、周辺装置群１５の電源を切り換える電源制御が可能な動作モードである。登録モードは、周辺装置群１５のうちで通常モードにおいて電源制御を可能とする装置を登録する動作モードである。以下、モード切換指示を示す操作と組になるアカウントを、登録アカウントという。
【００５１】
モード切換部５５は、動作モードを登録モードに切り換えている間は登録信号を、動作モードを通常モードに切り換えている間は通常信号を、関連付部５７、稼動状態切換部６１および第３消去部６７にそれぞれ出力する。また、モード切換部５５は、登録アカウントを、関連付部５７、第１および第３消去部６３、６７に出力する。
【００５２】
稼動状態検出部５９は、周辺装置群１５の稼動状態を検出する。例えば、通信Ｉ／Ｆ部１１２を介して、周辺装置群１５のそれぞれからＭＩＢ（Ｍａｎａｇｅｍｅｎｔ  Ｉｎｆｏｒｍａｔｉｏｎ  Ｂａｓｅ）を取得し、周辺装置群１５のそれぞれの稼動状態を検出する。稼動状態は、電源がＯＮまたはＯＦＦのいずれかを示す。稼動状態検出部５９は、周辺装置群１５の稼動状態を関連付部５７および第３消去部６７に出力する。
【００５３】
関連付部５７は、モード切換部５５から登録信号が入力されている間、稼動状態検出部５９から入力される稼動状態を監視し、周辺装置群１５のうち稼動状態の変化する装置を特定する。具体的には、電源がＯＦＦからＯＮに変化する装置を登録装置として特定する。関連付部５７は、モード切換部５５から入力される登録アカウントを、周辺装置群１５のうちから稼動状態の変化する装置として特定された登録装置の装置識別情報と関連付ける。具体的には、ＥＥＰＲＯＭ１１５に登録テーブルを予め記憶している。登録テーブルは、周辺装置群１５それぞれに対応する登録レコードを含む。登録レコードは、周辺装置識別情報の項目と、アカウントの項目とを含む。周辺装置識別情報の項目は、周辺装置群１５それぞれの装置識別情報が設定され、アカウントの項目は、登録アカウントが設定される。関連付部５７は、モード切換部５５から登録信号が入力されている間に、周辺装置群１５のうち稼動状態の変化する装置を登録装置として特定すると、特定された登録装置の装置識別情報を含む登録レコードのアカウントの項目に、登録アカウントを設定する。
【００５４】
稼動状態切換部６１は、初期化部６９を含む。初期化部６９は、ＭＦＰ１００に電源が投入され、起動した直後に、周辺装置群１５それぞれの電源をＯＦＦに切り換える。
【００５５】
稼動状態切換部６１は、操作受付部５３から操作とアカウントとの組が入力され、モード切換部５５から登録信号または通常信号が入力される。稼動状態切換部６１は、第１および第２の条件が成立する場合に、操作受付部５３から稼動状態切換指示を示す操作が入力されると、周辺装置群１５の稼動状態を切り換える。稼動状態切換指示は、周辺装置群１５のうちから１つの装置識別情報と、切り換え後の稼動状態と、を含む。稼動状態切換部６１は、モード切換部５５から通常信号が入力されている第１の条件が成立する場合に、換言すれば、動作モードが通常モードに切り換えられていることを条件に、周辺装置群１５の稼動状態を切り換える。
【００５６】
さらに、稼動状態切換部６１は、関連付部５７によって、操作受付部５３から入力される稼動状態切換指示に含まれる装置識別情報が、操作とともに入力されるアカウントと関連付けられている第２の条件が成立することを条件に、周辺装置群１５のうち装置識別情報で特定される装置の稼動状態を切り換える。具体的には、稼動状態切換部６１は、ＥＥＰＲＯＭ１１５に記憶されている登録テーブル９１を参照して、操作受付部５３から入力される稼動状態切換指示に含まれる装置識別情報が周辺装置識別情報の項目に設定されている登録レコードを抽出する。そして、稼動状態切換部６１は、抽出された登録レコードの登録アカウントの項目に設定されている登録アカウントと、操作受付部５３から操作とともに入力されるアカウントと比較し、両者が同じならば、関連付部５７によって、操作受付部５３から入力される稼動状態切換指示に含まれる装置識別情報が、操作とともに入力されるアカウントと関連付けられていると判断するが、登録アカウントとアカウントが異なれば、関連付部５７によって関連付けられていないと判断する。このため、登録アカウントを用いてログインしたユーザーは、周辺装置群１５のうち登録テーブル９１に登録した装置を電源制御することができる。
【００５７】
また、ＥＥＰＲＯＭ１１５に参加者テーブル９３を記憶している。参加者テーブル９３は、会議の参加者それぞれに割り当てられたアカウントを含む。登録アカウントが割り当てられたユーザーは、会議の参加者とする場合、参加者テーブル９３は、登録アカウントを含む。この場合、稼動状態切換部６１は、参加者テーブル９３を参照して、操作とともに入力されるアカウントが、参加者テーブル９３に含まれている場合、参加者テーブル９３から登録アカウントを、操作主体のアカウントと同じグループ（同じ会議の参加者）の登録アカウントとして抽出する。稼動状態切換部６１は、登録テーブル９１から抽出された登録レコードの登録アカウントの項目に設定されている登録アカウントと、参加者テーブル９３から抽出された、操作主体のアカウントと同じグループの登録アカウントと比較し、両者が同じならば、関連付部５７によって、操作受付部５３から入力される稼動状態切換指示に含まれる装置識別情報が、操作とともに入力されるアカウントと関連付けられていると判断するが、両者が異なれば、関連付部５７によって関連付けられていないと判断する。このため、会議の参加者として、登録アカウントと同じグループとして参加者テーブル９３に登録されているアカウントのユーザーは、周辺装置群１５のうち登録アカウントのユーザーによって登録テーブル９１に登録された装置を電源制御することができる。
【００５８】
第１消去部６３は、モード切換部５５から登録アカウントが入力され、認証部５１から登録アカウントのログイン状態を取得する。第１消去部６３は、登録アカウントがログイン状態からログイン状態でないログアウト状態に変化することに応じて、登録テーブル９１を更新する。具体的には、登録テーブル９１に含まれる周辺装置群１５それぞれに対応する登録レコードのうち、モード切換部５５から入力される登録アカウントと同じアカウントが登録アカウントの項目に設定されている登録レコードを抽出し、抽出された登録レコードの登録アカウントの項目からアカウントを消去する。これにより、第１消去部６３により登録テーブル９１が更新された後は、登録アカウントが割り当てられたユーザー、または参加者テーブル９３に登録アカウントと同じグループに登録されたアカウントが割り当てられたユーザーは、周辺装置群１５を電源制御できなくなる。
【００５９】
第２消去部６５は、モード切換部５５から登録アカウントが入力され、操作受付部５３から操作とアカウントとの組が入力される。第２消去部６５は、操作受付部５３から入力されるアカウントが登録アカウントの場合、操作受付部５３から入力される操作が、期間指定指示か否かを判断する。第２消去部６５は、期間指定指示を示す操作が入力される場合、期間指定指示に含まれる期間が経過することに応じて、登録テーブル９１を更新する。具体的には、登録テーブル９１に含まれる周辺装置群１５それぞれに対応する登録レコードのうち、モード切換部５５から入力される登録アカウントと同じアカウントが登録アカウントの項目に設定されている登録レコードを抽出し、抽出された登録レコードの登録アカウントの項目からアカウントを消去する。これにより、登録アカウントが割り当てられたユーザーにより指定された期間が経過した後は、登録アカウントが割り当てられたユーザー、または参加者テーブル９３に登録アカウントと同じグループに登録されたアカウントが割り当てられたユーザーは、周辺装置群１５を電源制御できなくなる。
【００６０】
第３消去部６７は、モード切換部５５から通常信号が入力されている間、稼動状態検出部５９から入力される稼動状態を監視し、周辺装置群１５のうち稼動状態の変化する装置を特定する。具体的には、電源がＯＮからＯＦＦに変化する装置を特定する。第３消去部６７は、周辺装置群１５のうちから稼動状態の変化する装置を特定することに応じて、登録テーブル９１を更新する。具体的には、第３消去部６７は、登録テーブル９１に含まれる周辺装置群１５それぞれに対応する登録レコードのうち、周辺装置群１５のうちから稼動状態の変化する装置として特定された装置の周辺装置識別情報が周辺装置識別情報の項目に設定されている登録レコードを抽出する。第３消去部６７は、抽出された登録レコードの登録アカウントの項目に、モード切換部５５から入力される登録アカウントと同じアカウントが設定されている場合、抽出された登録レコードの登録アカウントの項目からアカウントを消去する。これにより、周辺装置群１５のうち通常モードに切り換えられている間に電源がＯＮからＯＦＦに変化する装置を、登録アカウントが割り当てられたユーザー、または参加者テーブル９３に登録アカウントと同じグループに登録されたアカウントが割り当てられたユーザーは、周辺装置群１５のうち電源がＯＦＦに切り換えられた装置を電源制御できなくなる。
【００６１】
図４は、登録モードで表示される画面の遷移の一例を示す図である。図４（Ａ）は、周辺装置一覧画面の一例を示す図である。周辺装置一覧画面３０１は、ログインしたユーザーが動作モードを登録モードに切り換えることに応じて表示される画面である。周辺装置一覧画面３０１は、一覧表示領域３０３と、自動登録の文字が表された遷移ボタン３０５と、を含む。一覧表示領域３０３は、予め登録された周辺装置群１５それぞれの周辺装置識別情報をリスト表示する。ここでは、プリンター２７の周辺装置識別情報「プリンターＡ」、第１プロジェクタ２１の周辺装置識別情報「プロジェクタＡ」、第１スキャナ２３の周辺装置識別情報「スキャナＡ」、第１カメラ２２の周辺装置識別情報「カメラＡ」、第２プロジェクタ２４の周辺装置識別情報「プロジェクタＢ」、第２スキャナ２５の周辺装置識別情報「スキャナＢ」、第２カメラ２６の周辺装置識別情報「カメラＢ」が、一覧表示されている場合を例に示している。これにより、ユーザーは、周辺装置群１５のうちで電源制御可能な周辺装置を確認することができる。遷移ボタン３０５が指示されると、登録時メッセージ表示画面が表示される。
【００６２】
図４（Ｂ）は、登録時メッセージ表示画面の一例を示す図である。登録メッセージ表示画面は、「登録する機器を電源ＯＮしてください。」のメッセージが表示される。これにより、ユーザーに次の手順を知らせることができる。
【００６３】
図４（Ｃ）は、登録装置確認画面の一例を示す図である。登録装置確認画面３１１は、登録装置一覧領域３１３を含む。登録装置一覧領域３１３は、周辺装置群１５のうち電源制御可能な装置として登録された登録装置の一覧を表示する。換言すれば、周辺装置群１５のうち、登録モードにおいて電源がＯＦＦからＯＮに切り換えられた装置の周辺装置識別情報を表示する。ここでは、第１カメラ２２の周辺装置識別情報「カメラＡ」、第２プロジェクタ２４の周辺装置識別情報「プロジェクタＢ」、第２スキャナ２５の周辺装置識別情報「スキャナＢ」が一覧表示されている場合を例に示している。これにより、ユーザーは、第１カメラ２２、第２プロジェクタ２４および第２スキャナ２５が、電源制御可能な登録装置として登録されたことを知ることができる。
【００６４】
図５は、登録テーブルの一例を示す図である。図５を参照して、登録テーブル９１は、周辺装置群１５それぞれに対応する登録レコードを含む。登録レコードは、周辺装置識別情報の項目と、アカウントの項目と、登録時刻の項目と、を含む。周辺装置識別情報の項目は、周辺装置群１５それぞれの周辺装置識別情報が設定され、登録アカウントの項目は、アカウントが設定される。登録時刻の項目は、登録レコードが更新された時の年月日および時刻が設定される。登録テーブル９１は、プリンター２７、第１プロジェクタ２１、第１スキャナ２３、第１カメラ２２、第２プロジェクタ２４、第２スキャナ２５および第２カメラ２６それぞれの登録レコードを含んでいる。
【００６５】
周辺装置識別情報の項目に周辺装置識別情報「プリンターＡ」が設定されるプリンター２７に対応する登録レコードは、登録アカウントの項目にアカウント「ＢＢＢ」が設定され、登録時刻の項目に「２０１０／１０／１０  １６：４３」が設定されており、アカウント「ＢＢＢ」のユーザーによる操作によって、「２０１０／１０／１０  １６：４３」に登録されたことを示している。
【００６６】
周辺装置識別情報の項目に周辺装置識別情報「プロジェクタＡ」が設定される第１プロジェクタ２１に対応する登録レコードは、登録アカウントの項目にアカウント「ＢＢＢ」が設定され、登録時刻の項目に「２０１０／１０／１０  １６：４３」が設定されており、アカウント「ＢＢＢ」のユーザーによる操作によって、「２０１０／１０／１０  １６：４３」に登録されたことを示している。
【００６７】
周辺装置識別情報の項目に周辺装置識別情報「スキャナＡ」が設定される第１スキャナ２３に対応する登録レコードは、登録アカウントの項目に「無し」が設定され、登録時刻の項目に「無し」が設定されており、未だ登録されたことのないことを示している。
【００６８】
周辺装置識別情報の項目に周辺装置識別情報「カメラＡ」が設定される第１カメラ２２に対応する登録レコードは、登録アカウントの項目にアカウント「ＡＡＡＡ」が設定され、登録時刻の項目に「２０１０／１０／１０  １７：０３」が設定されており、アカウント「ＡＡＡＡ」のユーザーによる操作によって、「２０１０／１０／１０  １７：０３」に登録されたことを示している。
【００６９】
周辺装置識別情報の項目に周辺装置識別情報「プロジェクタＢ」が設定される第２プロジェクタ２４に対応する登録レコードは、登録アカウントの項目にアカウント「ＡＡＡＡ」が設定され、登録時刻の項目に「２０１０／１０／１０  １７：０３」が設定されており、アカウント「ＡＡＡＡ」のユーザーによる操作によって、「２０１０／１０／１０  １７：０３」に登録されたことを示している。
【００７０】
周辺装置識別情報の項目に周辺装置識別情報「スキャナＢ」が設定される第２スキャナ２５に対応する登録レコードは、登録アカウントの項目にアカウント「ＡＡＡＡ」が設定され、登録時刻の項目に「２０１０／１０／１０  １７：０３」が設定されており、アカウント「ＡＡＡＡ」のユーザーによる操作によって、「２０１０／１０／１０  １７：０３」に登録されたことを示している。
【００７１】
周辺装置識別情報の項目に周辺装置識別情報「カメラＢ」が設定される第２カメラ２６に対応する登録レコードは、登録アカウントの項目に「無し」が設定され、登録時刻の項目に「無し」が設定されており、未だ登録されたことのないことを示している。
【００７２】
図６は、通常モードで表示される画面の遷移の一例を示す図である。図６（Ａ）は、登録装置一覧画面の一例を示す図である。登録装置一覧画面３２１は、通常モードにおいて、ログインしたユーザーが稼動状態切換指示を入力する場合に表示される画面である。登録装置一覧画面３２１は、登録装置一覧表示領域３２３と、「切換」の文字が表された遷移ボタン３２５と、を含む。登録装置一覧表示領域３２３は、周辺装置群１５のうちログイン状態の登録アカウントが登録した装置の周辺装置識別情報が表示される。具体的には、登録テーブル９１に含まれる登録レコードのうち、ログインしている登録アカウントが登録アカウントの項目に設定されている登録レコードの周辺装置識別情報の項目に設定されている周辺装置識別情報が表示される。ここでは、第１カメラ２２の周辺装置識別情報「カメラＡ」、第２プロジェクタ２４の周辺装置識別情報「プロジェクタＢ」、第２スキャナ２５の周辺装置識別情報「スキャナＢ」が一覧表示されている場合を例に示している。これにより、ユーザーは、第１カメラ２２、第２プロジェクタ２４および第２スキャナ２５が、電源制御可能な登録装置として登録されたことを知ることができる。また、プロジェクタＢが反転表示されており、第２プロジェクタ２４が稼動状態を切り換えるための電源制御の対象に選択されたことを示している。なお、図では反転表示をハッチングで示している。
【００７３】
図６（Ｂ）は、稼動状態切換指示入力画面の一例を示す図である。稼動状態切換指示入力画面３３１は、対象表示領域３３３と、電源ＯＮが表された状態切換ボタン３３５と、電源ＯＦＦが表された状態切換ボタン３３７と、を含む。対象表示領域３３３は、周辺装置郡１５のうち電源制御の対象に選択されている装置の周辺装置識別情報を表示する領域であり、ここでは「プロジェクタＢ」が表示されており、第２プロジェクタ２４が電源制御の対象に選択されていることを示している。状態切換ボタン３３７が反転表示されており、第２プロジェクタ２４の稼動状態が電源ＯＦＦであることが示される。なお、第２プロジェクタ２４の稼動状態が電源ＯＮの場合には、状態切換ボタン３３５が反転表示される。図６（Ｂ）に示す稼動状態切換指示入力画面３３１が表示されている状態で、状態切換ボタン３３５が指示されると、第２プロジェクタ２４の稼動状態を電源ＯＮにするための稼動状態切換指示を示す操作が入力される。
【００７４】
図６（Ｃ）は、稼動状態切換後の稼動状態切換指示入力画面の一例を示す図である。図６（Ｃ）を参照して、図６（Ｂ）に示した稼動状態切換指示入力画面３３１と異なる点は、状態切換ボタン３３５が反転表示され、状態切換ボタン３３７が通常表示される点である。状態切換ボタン３３５の反転表示により、第２プロジェクタ２４の稼動状態が電源ＯＮに切り換えられことをユーザーは確認することができる。
【００７５】
図７および図８は、遠隔制御処理の流れの一例を示すフローチャートである。遠隔制御処理は、ＭＦＰ１００が備えるＣＰＵ１１１が、ＲＯＭ１１３、ＥＥＰＲＯＭ１１５、ＨＤＤ１６６またはＣＤ−ＲＯＭ１１９Ａに記憶された遠隔制御プログラムを実行することにより、ＣＰＵ１１１により実行される処理である。
【００７６】
図７および図８を参照して、ＣＰＵ１１１は、周辺装置群１５すべての電源をＯＦＦに切り換える（ステップＳ０１）。次のステップＳ０２においては、動作モードを通常モードに切り換え、処理をステップＳ０３に進める。
【００７７】
ステップＳ０３においては、アカウントの認証に成功したか否かを判断する。操作部１６３により受け付けられる操作、または通信Ｉ／Ｆ部１１２から受信される操作に基づいて、アカウントを認証する。認証に成功するまで待機状態となり（ステップＳ０３でＮＯ）、認証に成功したならば処理をステップＳ０４に進める。ステップＳ０４以降の処理は、ステップＳ０３においてアカウントが認証されると、認証されたアカウントに対して実行される。したがって、ステップＳ０３において複数のアカウントが認証される場合があり、その場合には、ステップＳ０４以降の処理を実行するタスクが、認証された複数のアカウントそれぞれに対応して生成され、ステップＳ０４以降の処理を実行する。
【００７８】
ステップＳ０４においては、操作が受け付けられ、受け付けられる操作が動作モードを登録モードに切り換える指示か否かを判断する。登録モード切換指示の操作を受け付けたならば処理をステップＳ０５に進めるが、そうでなければ処理をステップＳ１５に進める。ステップＳ０５においては、ステップＳ０３において認証されたアカウントを、登録アカウントに設定し、登録アカウントをＲＡＭ１１４に記憶する。
【００７９】
次のステップＳ０６においては、動作モードを登録モードに切り換え、処理をステップＳ０７に進める。ステップＳ０７においては、周辺装置群１５それぞれの稼動状態を検出する。そして、検出された稼動状態に基づいて、周辺装置群１５のうちに稼動状態が変化する周辺装置が存在するか否かを判断する（ステップＳ０８）。周辺装置群１５のうちに稼動状態がＯＦＦからＯＮに変化する周辺装置が存在するならば、その周辺装置を登録装置として特定し、処理をステップＳ０９に進めるが、存在しなければ処理をステップＳ１１に進める。
【００８０】
ステップＳ０９においては、登録アカウントと周辺装置を関連付ける。ステップＳ０５において記憶された登録アカウントと、ステップＳ０８において稼働状態が変化した周辺装置を関連付ける。次のステップＳ１０においては、ステップＳ０９における関連付に従って、登録テーブルを更新する。具体的には、ＥＥＰＲＯＭ１１５に記憶されている登録テーブル９１から、ステップＳ０８において周辺装置群１５のうちから特定された登録装置の周辺装置識別情報を含む登録レコードを抽出し、抽出された登録レコードの登録アカウントの項目に、ステップＳ０５において記憶された登録アカウントを設定する。
【００８１】
ステップＳ１１においては、操作が受け付けられ、受け付けられる操作が有効期間指定する指示か否かを判断する。有効期間指定指示の操作を受け付けたならば処理をステップＳ１２に進めるが、そうでなければ処理をステップＳ１３に進める。ステップＳ１２においては、有効期間指定指示に含まれる有効期間をＲＡＭ１１４に記憶し、処理をステップＳ１３に進める。
【００８２】
ステップＳ１３においては、操作が受け付けられ、受け付けられる操作が動作モードを通常モードに切り換える指示か否かを判断する。通常モード切換指示の操作を受け付けたならば処理をステップＳ１４に進めるが、そうでなければ処理をステップＳ０７に戻す。ステップＳ１４においては、動作モードを通常モードに切り換え、処理をステップＳ１５に進める。
【００８３】
ステップＳ１５においては、操作が受け付けられ、受け付けられる操作が稼動状態を切り換える指示か否かを判断する。稼動状態切換指示の操作を受け付けたならば処理をステップＳ１６に進めるが、そうでなければ処理をステップＳ２３に進める。ステップＳ１６においては、周辺装置群１５のうち稼動状態切換指示に含まれる周辺装置識別情報で特定される周辺装置を特定し、処理をステップＳ１７に進める。
【００８４】
ステップＳ１７においては、ＥＥＰＲＯＭ１１５に記憶された登録テーブル９１を読み出す。次のステップＳ１８においては、ステップＳ０３において認証されたアカウントが登録アカウントか否かを判断する。登録アカウントならば処理をステップＳ２２に進めるが、そうでなければ処理をステップＳ１９に進める。
【００８５】
ステップＳ１９においては、ＥＥＰＲＯＭ１１５に記憶された参加者テーブル９３を読み出す。そして、ステップＳ０３において認証されたアカウントと、登録アカウントとが同一グループか否かを判断する。ステップＳ０３において認証されたアカウントと、ステップＳ０５において記憶された登録アカウントとが、ともに参加者テーブル９３に含まれていれば、同一グループと判断する。同一グループならば処理をステップＳ２２に進めるが、そうでなければ処理をステップＳ２１に進める。ステップＳ２１においては、エラーメッセージを出力し、処理をステップＳ２３に進める。ステップＳ０３における認証が、操作部１６３により受け付けられた操作に基づく場合には、表示部１６１にエラーメッセーを表示し、通信Ｉ／Ｆ部１１２によりＰＣ１３から受信された操作に基づき場合には、ＰＣ１３にエラーメッセージを送信し、通信Ｉ／Ｆ部１１２によりＰＣ３３から受信された操作に基づき場合には、ＰＣ３３にエラーメッセージを送信する。エラーメッセージは、例えば、「電源を制御する権限がありません。」等である。
【００８６】
ステップＳ２２においては、ステップＳ１６において、周辺装置群１５のうちから特定された周辺装置の稼動状態を切り換え、処理をステップＳ２３に進める。ステップＳ１５において受け付けられた稼動状態切換指示で特定される稼動状態に切り換える。稼動状態切換指示で特定される稼動状態が、ＯＮを示すならば電源をＯＮに切り換え、ＯＦＦを示すならば電源をＯＦＦに切り換える。
【００８７】
ステップＳ２３においては、登録アカウントがログアウトしたか否かを判断する。登録アカウントがログアウトしたならば処理をステップＳ２５に進めるが、そうでなければ処理をステップＳ２４に進める。ステップＳ２４においては、ステップＳ１２においてＲＡＭ１１４に記憶された有効期間が経過したか否かを判断する。有効期間が経過したならば処理をステップＳ２５に進めるが、そうでなければ処理をステップＳ２７に進める。
【００８８】
ステップＳ２５においては、関連付を解消し、処理を終了する。具体的には、ステップＳ０９において、登録アカウントと登録装置とを関連付けたが、この関連付けを解消する。次のステップＳ２６においては、ステップＳ０９における関連付の解消に従って、登録テーブル９１を更新する。具体的には、ＥＥＰＲＯＭ１１５に記憶されている登録テーブル９１から、登録アカウントの項目に、ＲＡＭ１１４に記憶された登録アカウントと同じアカウントが設定された登録レコードを抽出し、抽出された登録レコードの登録アカウントの項目からアカウントを消去する。
【００８９】
一方、ステップＳ２７においては、ステップＳ０７と同様に、周辺装置群１５それぞれの稼動状態を検出する。そして、検出された稼動状態に基づいて、周辺装置群１５のうちに稼動状態がＯＮからＯＦＦに変化する周辺装置が存在するか否かを判断する（ステップＳ２８）。周辺装置群１５のうちに稼動状態がＯＮからＯＦＦに変化する周辺装置が存在するならば、その周辺装置を特定し、処理をステップＳ２９に進めるが、存在しなければ処理をステップＳ１５に戻す。
【００９０】
ステップＳ２９においては、登録アカウントとステップＳ２８において特定された周辺装置との関連付を解消し、処理をステップＳ３０に進める。具体的には、ステップＳ０９において、登録アカウントと登録装置とを関連付けたが、この関連付けを解消する。次のステップＳ３０においては、ステップＳ２９における関連付の解消に従って、登録テーブル９１を更新する。具体的には、ＥＥＰＲＯＭ１１５に記憶されている登録テーブル９１から、周辺装置識別情報の項目にステップＳ２８において特定された周辺装置の周辺装置識別情報が設定された登録レコードを抽出し、抽出された登録レコードの登録アカウントの項目からアカウントを消去する。
【００９１】
次のステップＳ３１においては、周辺装置群１５のうちに登録アカウントと関連付けられた関連付周辺装置が存在するか否かを判断する。ＥＥＰＲＯＭ１１５に記憶された登録テーブル９１に、登録アカウントの項目に、ＲＡＭ１１４に記憶された登録アカウントと同じアカウントが設定された登録レコードが存在するならば、関連付周辺装置が存在すると判断する。関連付周辺装置が存在するならば処理をステップＳ１５に戻すが、存在しなければ処理を終了する。
【００９２】
以上説明したように、本実施の形態におけるＭＦＰ１００は、遠隔制御装置として機能し、周辺装置群１５それぞれの稼動状態を検出し、登録モードに切り換えられている間に稼動状態が変化する周辺装置の周辺装置識別情報と、登録モードに切り換える操作の操作主体のアカウントと、を関連付ける。そして、通常モードに切り換えられている間に、周辺装置群１５の稼動状態を切り換える操作が受け付けられる場合、操作主体のアカウントが、操作対象の装置に関連付けられたアカウントであることを条件に、稼動状態を切り換える。このため、周辺装置群１５のうちから稼動状態を切り換え可能な装置を、登録装置として登録する操作を容易にすることができる。
【００９３】
また、ＭＦＰ１００に電源が投入される起動時に、周辺装置群１５の稼動状態を稼動しない状態に切り換える。このため、登録モードにおいて周辺装置群１５のうちから登録装置として登録する装置の電源をＯＮに切り換えれば、稼動状態を切り換え可能な装置として登録されるので、登録後に直ちに使用することができる。
【００９４】
また、登録モードに切り換える操作の操作主体の登録アカウントがログイン状態でなくなることに応じて、関連付を解消するので、周辺装置群１５のうちで登録装置を、稼動状態の切り換えが可能な状態とする期間を、登録モードに切り換える操作の操作主体の登録アカウントがログインしてからログイン状態でなくなるまでの間に、制限することができる。
【００９５】
さらに、登録モードに切り換える操作の操作主体の登録アカウントにより指定された期間が経過すると、関連付けを解消するので、周辺装置群１５のうちで登録装置を、稼動状態の切り換えが可能な状態とする期間を、登録アカウントにより指定した期間に、制限することができる。
【００９６】
さらに、周辺装置群１５のうち、通常モードに切り換えられている間に稼動状態が稼動している状態から稼動しない状態に変化する装置に対して、関連付けを解消する。このため、周辺装置群１５の稼動状態の切り換え回数を１回に、制限することができる。
【００９７】
なお、同一アカウントで、複数のログインを許可するようにしてもよい。例えば、ＭＦＰ１００、ＰＣ１３、ＰＣ３３それぞれを操作する３人のユーザーが、同一のアカウントでＭＦＰ１００にログインする場合に、同一の３つのアカウントによるログインを許可する。この場合、３つのアカウントそれぞれによる操作を、操作部１６３、ＰＣ１３，３３のいずれから入力されたかによって、判別することができる。
【００９８】
また、上述した実施の形態においては、遠隔制御装置の一例としてＭＦＰ１００を例に説明したが、図７および図８に示した遠隔制御処理をＭＦＰ１００に実行させる遠隔制御方法、または、その遠隔制御方法をＭＦＰ１００が備えるＣＰＵ１１１に実行させる遠隔制御プログラムとして発明を捉えることができるのは言うまでもない。
【００９９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１００】
１  テレビ会議システム、３  ネットワーク、１３，３３  ＰＣ、１００  ＭＦＰ、１１  会議室、１５  周辺装置群、１９  ＬＡＮ、２１  第１プロジェクタ、２２  第１カメラ、２３  第１スキャナ、２４  第２プロジェクタ、２５  第２スキャナ、２６  第２カメラ、２７  プリンター、３１  会議室、３５  カメラ、５１  認証部、５３  操作受付部、５５  モード切換部、５７  関連付部、５９  稼動状態検出部、６１  稼動状態切換部、６３，６５，６７  第１〜第３消去部、６９  初期化部、９１  登録テーブル、９３  参加者テーブル、１１０  メイン回路、１１１  ＣＰＵ、１１２  通信Ｉ／Ｆ部、１１３  ＲＯＭ、１１４  ＲＡＭ、１１５  ＥＥＰＲＯＭ、１１６  ＨＤＤ、１１７  ファクシミリ部、１１９  外部記憶装置、１２０  自動原稿搬送装置、１３０  原稿読取部、１４０  画像形成部、１５０  給紙部、１６０  操作パネル、１６１  表示部、１６３  操作部、１６５  タッチパネル、１７１  マイクロホン、１７３  スピーカー。
【図１】
2013098668.tif 000003
【図２】
2013098668.tif 000004
【図３】
2013098668.tif 000005
【図４】
2013098668.tif 000006
【図５】
2013098668.tif 000007
【図６】
2013098668.tif 000008
【図７】
2013098668.tif 000009
【図８】
2013098668.tif 000010